(57)【要約】【課題】  ＴＶ視聴中の消費電力を低減可能な携帯電話機を提供する。【解決手段】  制御部１６はユーザインタフェース部１７にてＴＶ視聴モードが選択された時、ＴＶチューナ部１４を起動してＴＶ放送の受信を開始する。制御部１６はバッテリ部１８の残量を監視し、バッテリ残量が２／３未満の場合、ユーザに対してバッテリ残量が少ないことをＬＣＤ表示部１５を通して通知する。この時、オフラインモードに移行することが選択されると、制御部１６は携帯電話無線部１３の電源をＯＦＦにして省電力状態にする。制御部１６はオフラインモードでのＴＶ視聴中にＴＶ番組からＣＭに変わったことを検知すると、携帯電話無線部１３の電源をＯＮにし、着信メールがあるかどうかの問い合わせをサーバ３に対して行う。制御部１６はメール着信があると、メール受信を開始し、メール受信完了後にＬＣＤ表示部１５にてメール着信ありの旨をユーザに伝える。【選択図】      図１                                                  
2005065129.tif 000002
【特許請求の範囲】
【請求項１】
少なくともテレビ受信機能と携帯電話無線機能とを持つ携帯電話機であって、前記テレビ受信機能を用いてテレビ視聴中に前記携帯電話無線機能の電源を断とする手段を有することを特徴とする携帯電話機。
【請求項２】
前記携帯電話無線機能の電源を断とする手段は、バッテリ残量が予め設定された所定値未満となった時に前記携帯電話無線機能の電源を断とすることを特徴とする請求項１記載の携帯電話機。
【請求項３】
前記携帯電話無線機能の電源が断となっている時に自端末への着信の問い合わせを行う手段を含むことを特徴とする請求項１または請求項２記載の携帯電話機。
【請求項４】
前記問い合わせを行う手段は、前記テレビ視聴中にコマーシャル映像の受信を検出した時に当該問い合わせを行うことを特徴とする請求項３記載の携帯電話機。
【請求項５】
前記問い合わせを行う手段は、前記テレビ視聴の終了時に当該問い合わせを行うことを特徴とする請求項３または請求項４記載の携帯電話機。
【請求項６】
前記自端末への着信の問い合わせを行う手段は、自端末への電子メールの着信の問い合わせを行うことを特徴とする請求項２から請求項５のいずれか記載の携帯電話機。
【請求項７】
前記自端末への着信の問い合わせを行う手段は、自端末への伝言サービスの録音確認を行うことを特徴とする請求項２から請求項６のいずれか記載の携帯電話機。
【請求項８】
少なくともテレビ受信機能と携帯電話無線機能とを持つ携帯電話機の消費電力低減方法であって、前記携帯電話機側に、前記テレビ受信機能を用いてテレビ視聴中に前記携帯電話無線機能の電源を断とするステップを有することを特徴とする消費電力低減方法。
【請求項９】
前記携帯電話無線機能の電源を断とするステップは、バッテリ残量が予め設定された所定値未満となった時に前記携帯電話無線機能の電源を断とすることを特徴とする請求項８記載の消費電力低減方法。
【請求項１０】
前記携帯電話機側に、前記携帯電話無線機能の電源が断となっている時に自端末への着信の問い合わせを行うステップを含むことを特徴とする請求項８または請求項９記載の消費電力低減方法。
【請求項１１】
前記問い合わせを行うステップは、前記テレビ視聴中にコマーシャル映像の受信を検出した時に当該問い合わせを行うことを特徴とする請求項１０記載の消費電力低減方法。
【請求項１２】
前記問い合わせを行うステップは、前記テレビ視聴の終了時に当該問い合わせを行うことを特徴とする請求項１０または請求項１１記載の消費電力低減方法。
【請求項１３】
前記自端末への着信の問い合わせを行うステップは、自端末への電子メールの着信の問い合わせを行うことを特徴とする請求項９から請求項１２のいずれか記載の消費電力低減方法。
【請求項１４】
前記自端末への着信の問い合わせを行うステップは、自端末への伝言サービスの録音確認を行うことを特徴とする請求項９から請求項１３のいずれか記載の消費電力低減方法。
【請求項１５】
少なくともテレビ受信機能と携帯電話無線機能とを持つ携帯電話機の消費電力低減方法のプログラムであって、コンピュータに、前記テレビ受信機能を用いてテレビ視聴中に前記携帯電話無線機能の電源を断とする処理を実行させるためのプログラム。
【発明の詳細な説明】
【技術分野】
【０００１】
本発明は携帯電話機及びそれに用いる消費電力低減方法並びにそのプログラムに関し、特に携帯電話機における消費電力低減方法に関する。
【背景技術】
【０００２】
近年、携帯電話機においては、ディジタルカメラの機能やテレビ電話の機能等の様々な機能が付加されているため、その消費電力も大きなものとなっており、その消費電力を低減する方法として様々な方法が提案されている。
【０００３】
例えば、テレビ電話の機能を搭載する携帯電話機では、カメラで撮影している画像データに変化が見られない時にカメラの電源をオフにすることで、無駄な消費電力を抑える方法が提案されている（例えば、特許文献１参照）。
【０００４】
また同様に、テレビ電話の機能を搭載する他の携帯電話機では、電池残量が減少した場合に、携帯電話通信機能以外の電力供給を中止し、電話機能のみを動作させることで、電話機としての動作時間を長くする方法も提案されている（例えば、特許文献２参照）。
【０００５】
【特許文献１】特開２００１−１３６４２３号公報
【特許文献２】特開平１１−１８４５７６号公報
【発明の開示】
【発明が解決しようとする課題】
【０００６】
しかしながら、上述した従来の携帯電話機では、ＴＶ（テレビ）受信機能を追加した場合、ＴＶ視聴時の消費電力の大きさが問題になる。ＴＶ視聴中の消費電力が大きいと、バッテリ駆動が前提である携帯電話機では、待ち受け可能時間や通話可能時間が短くなるという問題が生ずる。
【０００７】
ＴＶ受信機能付き携帯電話機においては、ＴＶ視聴時にＴＶ機能以外の機能を止めることによって消費電力を低減させようとすると、携帯電話機のもつ通信機能を全く使用することができないという問題がある。
【０００８】
そこで、本発明の目的は上記の問題点を解消し、ＴＶ視聴中の消費電力を低減することができる携帯電話機及びそれに用いる消費電力低減方法並びにそのプログラムを提供することにある。
【課題を解決するための手段】
【０００９】
本発明による携帯電話機は、少なくともテレビ受信機能と携帯電話無線機能とを持つ携帯電話機であって、前記テレビ受信機能を用いてテレビ視聴中に前記携帯電話無線機能の電源を断とする手段を備えている。
【００１０】
本発明による消費電力低減方法は、少なくともテレビ受信機能と携帯電話無線機能とを持つ携帯電話機の消費電力低減方法であって、前記携帯電話機側に、前記テレビ受信機能を用いてテレビ視聴中に前記携帯電話無線機能の電源を断とするステップを備えている。
【００１１】
本発明による消費電力低減方法のプログラムは、少なくともテレビ受信機能と携帯電話無線機能とを持つ携帯電話機の消費電力低減方法のプログラムであって、コンピュータに、前記テレビ受信機能を用いてテレビ視聴中に前記携帯電話無線機能の電源を断とする処理を実行させている。
【００１２】
すなわち、本発明の携帯電話機は、一般テレビ放送（以下、ＴＶとする）受信機能を備える携帯電話機において、ＴＶ視聴時の消費電力の低減方法を提供するものである。
【００１３】
近年、携帯電話機には様々な機能が付加されており、ＴＶ受信が可能な携帯電話機も考案されている。しかしながら、携帯電話機にＴＶ受信機能を追加した場合には、ＴＶ視聴時の消費電力の大きさが問題になる。バッテリ駆動が前提である携帯電話機においては、ＴＶ視聴中の消費電力が大きいと、待ち受け可能時間、通話時間、ＴＶ視聴可能時間が短くなるという問題につながる。
【００１４】
ＴＶ視聴中の消費電力を低減させるために、ＴＶ視聴中はＴＶ機能（画面表示や音声出力含む）以外の機能を停止させてしまうことで、電力を消費させないようにする方法が考えられるが、この方法によって消費電力の低減を図ろうとすると、携帯電話機の本来の機能である通信機能がＴＶ視聴中には全く使用できなくなってしまう。
【００１５】
例えば、無線通信機能を停止させた場合には、携帯電話機の電源が入っていない、もしくは携帯電話機が電波の届かない場所にある時と同様の取り扱いになるものと考えられる。こういった状況下にある携帯電話機が音声通話着信を受けても当然ならがつながることはなく、発信側に通話不能のアナウンスがなされる。
【００１６】
また同様に、メール着信を受けた場合には、一般的に、各通信キャリアのサーバにメールがプールされる。この場合、電源を入れるか、電波の届くところに移動した後、ユーザがサーバに対してメールの有無の問い合わせを行うことで、プールされたメールを受信することが可能となる。
【００１７】
本発明の携帯電話機では、バッテリ残量によってＴＶ視聴時の携帯電話無線部の動作モードを切替えることができる設定を持っている。ＴＶ視聴時にバッテリ残量が十分ある場合には、通常、待ち受け状態のまま、ＴＶ視聴中も携帯電話無線部が機能し続け、音声着信応答及びメール受信等が可能となる。
【００１８】
また、ＴＶ視聴中にバッテリ残量が２／３未満になった場合には、ユーザに対してバッテリ残量が少ない旨を伝え、さらに『オフラインモード』へ移行するかどうかの判断を促す。『オフラインモード』とは、携帯電話無線部の電源をＯＦＦするモードであり、このモードに移行することで、携帯電話無線部では電力消費がなくなるため、ＴＶ視聴中における消費電力を低減させることができ、ＴＶ視聴可能時間を伸ばすことができる。但し、『オフラインモード』中は音声着信に対する応答やメール受信が不可能になる。
【００１９】
また、本発明の携帯電話機では、『オフラインモード』でのＴＶ視聴中においても、メール受信が可能であることを特徴とする。『オフラインモード』でのＴＶ視聴中において、ＴＶ番組からテレビコマーシャル（以下、ＣＭとする）への移り変わりを検出した場合に、制御部によって携帯電話無線部の電源をＯＮにして、一度、『オフラインモード』を解除する。
【００２０】
その後、サーバに対してＴＶ視聴中（オフラインモード中）にメール着信があったかどうかの確認を行う。メール着信がなかった場合には、再び、『オフラインモード』に移行してＴＶ視聴が継続される。メール着信があった場合にはサーバ上にあるメールの受信を行い、メールが届いた旨をユーザに伝える。その後、再び、『オフラインモード』に移行してＴＶ視聴が継続される。
【００２１】
本発明の携帯電話機では、ＴＶ視聴中にバッテリ残量が低下した場合、携帯電話無線部電源をＯＦＦする『オフラインモード』に移行することによって、消費電力を低減することが可能になり、かつ『オフラインモード』のＴＶ視聴中に届いたメールをできる限り短い遅延時間で受け取ることが可能になる。
【発明の効果】
【００２２】
本発明は、以下に述べるような構成及び動作とすることで、ＴＶ視聴中の消費電力を低減することができるという効果が得られる。
【発明を実施するための最良の形態】
【００２３】
次に、本発明の実施例について図面を参照して説明する。図１は本発明の一実施例による携帯電話機の構成を示すブロック図である。図１において、携帯電話機１は通信用無線信号を送受信するための携帯電話用アンテナ部１１と、ＴＶ（テレビ）放送受信を行うためのＴＶ用アンテナ部１２と、携帯電話無線部１３と、ＴＶチューナ部１４と、携帯電話機能及びＴＶ機能兼用のＬＣＤ（Ｌｉｑｕｉｄ  Ｃｒｙｓｔａｌ  Ｄｉｓｐｌａｙ）表示部１５と、これらの動作を統括する制御部１６と、ユーザインタフェース部１７と、バッテリ部１８と、制御部１６が実行するプログラム（コンピュータで実行可能なプログラム）を格納する記録媒体１９とから構成され、携帯電話基地局２を介してサーバ３に接続されている。
【００２４】
また、制御部１６はオフラインモード制御部１６ａと、ＣＭ検出部１６ｂと、画像処理部１６ｃとを少なくとも備えている。ここで、『オフラインモード』とは携帯電話無線部１３の電源をＯＦＦするモードであり、このモードに移行することで、携帯電話無線部１３では電力消費がなくなるため、ＴＶ視聴中における消費電力を低減させることができ、ＴＶ視聴可能時間を伸ばすことができる。但し、『オフラインモード』中は音声着信に対する応答やメール受信が不可能になる。
【００２５】
携帯電話機１はユーザインタフェース部１７によって『ＴＶ視聴モード』が選択された時、制御部１６によってＴＶチューナ部１４を起動してＴＶ放送の受信を開始する。制御部１６はバッテリ部１８の残量を監視し、バッテリ残量が２／３未満の場合、ユーザに対してバッテリ残量が少ないことをＬＣＤ表示部１５を通して通知し、さらに、『オフラインモード』に移行するかどうかの判断を促す。
【００２６】
ユーザによって『オフラインモード』に移行することが選択された場合、制御部１６は携帯電話無線部１３の電源をＯＦＦにして省電力状態にする。『オフラインモード』でのＴＶ視聴中にＴＶ番組からＣＭ（コマーシャル）に移り変わった時、制御部１６はＣＭ検出部１６ｂにてこれを検知すると、携帯電話無線部１３の電源をＯＮにする。続いて、制御部１６はＴＶ視聴中（オフラインモード中）に着信を受けたメールがあるかどうかの問い合わせをサーバ３に対して行うために通信を開始する。
【００２７】
制御部１６はメール着信がなかった場合、携帯電話無線部１３の電源をＯＦＦにして、『オフラインモード』でのＴＶ視聴が継続される。制御部１６はメール着信があった場合、メール受信を開始し、メール受信完了後にＬＣＤ表示部１５にてメール着信ありの旨をユーザに伝える。その後、制御部１６は再び携帯電話無線部１３の電源をＯＦＦにして、『オフラインモード』でのＴＶ視聴を継続する。
【００２８】
図２及び図３は本発明の一実施例による携帯電話機１の動作を示すフローチャートである。これら図１〜図３を参照して本発明の一実施例による携帯電話機１の動作について説明する。
【００２９】
まず、ユーザによってＴＶ視聴モードが選択された時、制御部１６はＴＶチューナ部１４を起動してＴＶ受信を開始する（図２ステップＳ１）。続いて、制御部１６はバッテリ部１８の残量を確認し、バッテリ残量が２／３以上の場合（図２ステップＳ２）、そのままＴＶ視聴の継続となる。
【００３０】
一方、制御部１６はバッテリ残量が２／３未満であると判断された場合（図２ステップＳ２）、ＬＣＤ表示部１５にてユーザに対してバッテリ残量が少ない旨を通知し、『オフラインモード』へ移行するかの判断を受ける。制御部１６は『オフラインモード』に移行しなかった場合（図２ステップＳ３）、ユーザによってＴＶ視聴終了が選択されるまで（図３ステップＳ７）、ＴＶ視聴の継続とする。
【００３１】
制御部１６は『オフラインモード』に移行することが選択された場合（図２ステップＳ３）、携帯電話無線部１３の電源をＯＦＦして『オフラインモード』に移行し、省電力状態にする（図２ステップＳ４）。制御部１６はＴＶ視聴を終了した場合（図２ステップＳ５）、『オフラインモード』を解除し（図２ステップＳ６）、従来通り、通信が可能な待ち受け動作に戻る。
【００３２】
制御部１６はＴＶ視聴を続けた場合（図２ステップＳ５）、ＣＭ検出部１６ｂにてＣＭを検知すると（図３ステップＳ８）、携帯電話無線部１３の電源をＯＮにし（図３ステップＳ９）、サーバ３に対してメール問い合わせ動作を行う（図３ステップＳ１０）。
【００３３】
制御部１６はメール問い合わせの結果、メールがなかった場合（図３ステップＳ１１）、再び、『オフラインモード』に移行し（図２ステップＳ４）、ＴＶ視聴継続とする。制御部１６はメールがあった場合（図３ステップＳ１１）、メール受信を行い、メール着信ありの旨をＬＣＤ表示部１５に表示する（図３ステップＳ１２）。その後、制御部１６はＴＶ視聴継続の場合（図３ステップＳ１３）、再び、『オフラインモード』に移行し（図２ステップＳ４）、ＴＶ視聴継続とする。
【００３４】
図４は本発明の一実施例によるオフラインモードでのＴＶ視聴時におけるメール着信動作を示すフローチャートである。これら図１及び図４を参照して本発明の一実施例によるオフラインモードでのＴＶ視聴時におけるメール着信動作について説明する。
【００３５】
制御部１６はＴＶ視聴中でオフラインモードとなっている時に、メールの着信が発生した場合（図４ステップＳ２１）、携帯電話無線部１３の電源をＯＦＦとしているため、メール受信が不可能である（図４ステップＳ２２）。そのため、未着となったメールはサーバ３上にプールされる（図４ステップＳ２３）。
【００３６】
制御部１６はＴＶ視聴中に、ＣＭ検出部１６ｂにてＣＭを検知した場合（図４ステップＳ２４）、携帯電話無線部１３の電源をＯＮにし（図４ステップＳ２５）、メール問い合わせ動作を開始する（図４ステップＳ２６）。
【００３７】
制御部１６は問い合わせの結果、サーバ３上に未着メールを確認し、そのメールの受信を行う（図４ステップＳ２７）。制御部１６はメール受信の完了後、メール着信有りの旨をＬＣＤ表示部１５に表示してユーザに伝達し（図４ステップＳ２８）、再び、携帯電話無線部１３の電源をＯＦＦにし、『オフラインモード』に移行してＴＶ視聴を継続とする。
【００３８】
このように、本実施例では、ＴＶ視聴中に携帯電話無線部１３の電源をＯＦＦにすることで、ＴＶ視聴中の消費電力を低減することができ、バッテリを長くもたせることができる。
【００３９】
また、本実施例では、消費電力を低減するために無線機能を停止しても、ＣＭ中を利用して自動でメールの問い合わせを行うことで、ＴＶ視聴中に届いたメールの受信遅延時間を短くすることができ、ＴＶ視聴時の省電力と携帯電話通信機能とを両立させることができる。よって、本実施例では、ＴＶ視聴中に携帯電話無線部１３の電源を切っても、メール受信の遅延時間を短くすることができる。
【００４０】
さらに、本実施例では、バッテリ部１８のバッテリ残量の監視を行うことで、バッテリ残量の度合いに応じたモードを適切に選択することができる。
【産業上の利用可能性】
【００４１】
本発明では、『オフラインモード』でのＴＶ視聴モード中にＣＭを検知した場合に行う動作として、メールの問い合わせだけに限らず、留守番電話サービスの録音確認等を行うことも可能である。
【００４２】
また、本発明では、『オフラインモード』でのＴＶ視聴中において、ＣＭとＴＶ番組との間隔が短い場合、何度もメール問い合わせ動作を行わないように、メール問い合わせを行う動作間隔時間の設定を設けることも可能である。
【００４３】
さらに、本発明では、『オフラインモード』でのＴＶ視聴モードにおいて、ＣＭを検出する前にＴＶ視聴モードを終了した場合、ＴＶ視聴モード終了と同時にメール問い合わせを行う設定を設けることも可能である。
【００４４】
さらにまた、本発明では、『オフラインモード』でのＴＶ視聴中において、ＣＭを検知しなくてもユーザインタフェース部１７を通して、ユーザが任意でメール問い合わせを行う設定を設けることも可能である。例えば、ＴＶ視聴中にいずれかのキーを押すと、サーバ３に対してメール問い合わせを行うことも可能である。
【００４５】
一方、本発明では、ＴＶ視聴中のバッテリ残量の判定を行わず、ＴＶ視聴時に常に『オフラインモード』に移行する設定を設けること可能である。また、本発明では、ＴＶ視聴中のバッテリ残量の判定閾値を２／３とする以外に、１／２、１／３等にすることも可能であり、これはユーザによって自由に設定することができるようにしてもよい。
【図面の簡単な説明】
【００４６】
【図１】本発明の一実施例による携帯電話機の構成を示すブロック図である。
【図２】本発明の一実施例による携帯電話機の動作を示すフローチャートである。
【図３】本発明の一実施例による携帯電話機の動作を示すフローチャートである。
【図４】本発明の一実施例によるオフラインモードでのＴＶ視聴時におけるメール着信動作を示すフローチャートである。
【符号の説明】
【００４７】
１  携帯電話機
２  携帯電話基地局
３  サーバ
１１  携帯電話用アンテナ部
１２  ＴＶ受信用アンテナ部
１３  携帯電話無線部
１４  ＴＶチューナ部
１５  ＬＣＤ表示部
１６  制御部
１６ａ  オフラインモード制御部
１６ｂ  ＣＭ検出部
１６ｃ  画像処理部
１７  ユーザインタフェース部
１８  バッテリ部
【図１】
2005065129.tif 000003
【図２】
2005065129.tif 000004
【図３】
2005065129.tif 000005
【図４】
2005065129.tif 000006